(57)【要約】ユーザ機器（ＵＥ）と無線アクセスネットワークとの間でランダムアクセス手順を実行する方法であって、２つのアクセスノードがシグネチャシーケンスの異なるセットを含み、前記シグネチャシーケンスは異なるＵＥから到来する要求を前記アクセスノードにより区別するために使用され、前記方法は、前記ＵＥからランダムアクセス要求を受信するステップであって、前記ランダムアクセス要求はシグネチャシーケンスを含むステップと、前記ランダムアクセス要求が、前記要求に含まれる前記シグネチャシーケンスに基づいて前記第１の無線アクセスノードに向けられることを判定するステップと、前記第２のアクセスノードから前記ランダムアクセス要求を受信するステップであって、それによって前記第２の無線アクセスノードも前記ＵＥから前記ランダムアクセス要求を受信したことを示すステップと、前記ＵＥからの前記受信されたランダムアクセス要求に基づいて、かつ前記第２の無線アクセスノードから受信された前記ランダムアクセス要求に基づいて、応答を送信するステップと、を含む。
2019537336.tif 000002
【特許請求の範囲】
【請求項１】
ユーザ機器（ＵＥ）（６）と無線アクセスネットワークとの間でランダムアクセス手順を実行するための方法であって、前記無線アクセスネットワークは２つのアクセスノード（２，３）を備え、前記２つのアクセスノード（２，３）は異なるセットのシグネチャシーケンスを有し、前記シグネチャシーケンスは前記アクセスノード（２，３）によって、異なるＵＥから到来する要求を区別するために使用され、前記方法は、
前記２つのアクセスノードのうちの第１のアクセスノード（２）により、前記ＵＥ（６）からランダムアクセス要求を受信するステップ（９）であって、前記ランダムアクセス要求はシグネチャシーケンスを含むステップと、
前記第１の無線アクセスノード（２）により、前記要求に含まれる前記シグネチャシーケンスに基づいて、前記ランダムアクセス要求が前記第１の無線アクセスノード（２）に向けられていることを判定するステップ（８）と、
前記第１の無線アクセスノード（２）により、前記２つのアクセスノードのうちの第２のアクセスノード（３）から前記ランダムアクセス要求を受信するステップ（７）であって、それによって、前記第２の無線アクセスノード（３）も前記ＵＥ（６）から前記ランダムアクセス要求を受信したことを示すステップと、
前記第１の無線アクセスノード（２）により、前記ＵＥ（６）からの前記受信されたランダムアクセス要求に基づいて、かつ前記第２の無線アクセスノード（３）から受信された前記ランダムアクセス要求に基づいて、応答を送信するステップ（１０，１１，１０２）と、
を有する方法。
【請求項２】
請求項１に記載の方法であって、前記応答を送信するステップは、
前記ＵＥにランダムアクセス応答を送信すること（１０）であって、前記ランダムアクセス応答は、前記ＵＥと前記第１の無線アクセスノードとの間のさらなる通信のために使用されるＩＤを含むことと、
前記ランダムアクセス要求に基づいて前記ＵＥ（６）に応答するように前記第２の無線アクセスノードに要求する要求を前記第２の無線アクセスノード（３）に送信すること（１０２）と、
のうちの１つを含む方法。
【請求項３】
請求項１または２に記載の方法であって、前記方法はさらに、
前記第１の無線アクセスノード（２）により、異なるＵＥから前記第１の無線アクセスノード（２）に到来する要求を区別するために、前記第１の無線アクセスノードによって使用されるシグネチャシーケンスの第１のセットを前記第２の無線アクセスノード（３）に送信するステップ（３０２）と、
前記第１の無線アクセスノード（２）により、異なるＵＥから前記第２の無線アクセスノード（３）に到来する要求を区別するために、前記第２の無線アクセスノードによって使用されるシグネチャシーケンスの第２のセットを前記第２の無線アクセスノード（３）から受信するステップ（３０３）と、
のうちの少なくともひとつを含む方法。
【請求項４】
ユーザ機器（ＵＥ）（６）と無線アクセスネットワークとの間でランダムアクセス手順を実行するための方法であって、前記無線アクセスネットワークは２つのアクセスノード（２，３）を備え、前記２つのアクセスノードは異なるセットのシグネチャシーケンスを有し、前記シグネチャシーケンスは前記アクセスノードによって、異なるＵＥから来る要求を区別するために使用され、前記方法は、
前記２つのアクセスノードのうちの第２のアクセスノード（３）により、前記ＵＥ（６）からランダムアクセス要求を受信するステップ（１２）であって、前記ランダムアクセス要求はシグネチャシーケンスを含むステップと、
前記第２の無線アクセスノード（３）により、前記要求に含まれる前記シグネチャシーケンスに基づいて、前記ランダムアクセス要求が前記第１の無線アクセスノード（２）に向けられていることを判定するステップと、
前記第２の無線アクセスノード（３）により、前記第１の無線アクセスノード（２）へと前記ランダムアクセス要求を送信するステップ（７）であって、それによって、前記第２の無線アクセスノード（３）も前記ＵＥ（６）から前記ランダムアクセス要求を受信したことを示すステップと、
を有する方法。
【請求項５】
請求項４に記載の方法であって、前記方法はさらに、
前記第２の無線アクセスノード（３）により、前記第１の無線アクセスノード（２）から、前記ランダムアクセス要求に基づいて前記ＵＥ（６）に応答するよう前記第２のノードに要求する要求を受信するステップ（１０２）と、
前記第２の無線アクセスノード（３）により、ランダムアクセス応答（１０３）を前記ＵＥ(６）に送信するステップであって、前記ランダムアクセス応答は、前記ＵＥ（６）と前記第２の無線アクセスノード（３）との間の更なる通信に使用されるＩＤを含むステップと、
を有する方法。
【請求項６】
請求項４または５に記載の方法であって、前記方法はさらに、
前記第２の無線アクセスノード（３）により、異なるＵＥから前記第２の無線アクセスノード（３）に到来する要求を区別するために、前記第２の無線アクセスノードによって使用されるシグネチャシーケンスの第２のセットを前記第１の無線アクセスノード（２）へと送信するステップ（３０３）と、
前記第２の無線アクセスノード（３）により、異なるＵＥから前記第１の無線アクセスノード（２）に到来する要求を区別するために、前記第１の無線アクセスノードによって使用されるシグネチャシーケンスの第１のセットを前記第１の無線アクセスノード（２）から受信するステップ（３０２）と、
のうちの少なくともひとつを含む方法。
【請求項７】
請求項４または６に記載の方法であって、前記方法はさらに、
前記第２の無線アクセスノード（３）により、前記ＵＥ（６）にランダムアクセス応答を送信することを決定するステップであって、前記決定は、
前記ランダムアクセス要求が前記ＵＥから受信される電力と、
前記第２の無線アクセスノードに関する所定の規則と、前記第１の無線アクセスノードに関する所定の規則と、
のうちの少なくとも１つに基づくステップと、
前記第２の無線アクセスノード（３）により、前記ＵＥ（６）にランダムアクセス応答を送信するステップ（２０３）であって、前記ランダムアクセス応答は、前記ＵＥ(６）と前記第２の無線アクセスノード（３）との間のさらなる通信のために使用されるＩＤを含むステップと、
をさらに含む方法。
【請求項８】
ユーザ機器（ＵＥ）（６）と無線アクセスネットワークとの間でランダムアクセス手順を実行するための方法であって、前記無線アクセスネットワークは２つのアクセスノード（２，３）を備え、前記２つのアクセスノードは異なるセットのシグネチャシーケンスを有し、前記シグネチャシーケンスは前記アクセスノードによって、異なるＵＥから到来する要求を区別するために使用され、前記方法は、
前記ＵＥにより、前記ＵＥからランダムアクセス要求を送信するステップであって、前記ランダムアクセス要求は、前記２つのアクセスノードのうちの第１のアクセスノード（２）のためのシグネチャシーケンスを含むステップ（９）と、
前記ＵＥにより、前記２つのアクセスノードのうちの第２のアクセスノード（３）からランダムアクセス応答を受信するステップ（１０３，２０３）であって、前記ランダムアクセス応答は、前記ＵＥ（６）と前記第２の無線アクセスノード（３）との間のさらなる通信のために使用されるＩＤを含むステップと、
を含む方法。
【請求項９】
請求項８に記載の方法であって、前記方法はさらに、
前記ＵＥにより、前記第１の無線アクセスノードからランダムアクセス応答を受信するステップであって、前記ランダムアクセス応答は、前記ＵＥと前記第１の無線アクセスノードとの間のさらなる通信のために使用されるＩＤを含むステップ（２０２）と、
前記ＵＥにより、選択されたアクセスノードへの接続の確立を継続するために前記２つのアクセスノード（２、３）のうちの１つを選択するステップであって、前記選択は、前記第１の無線アクセスノードからの前記受信されたランダムアクセス応答に基づき、かつ前記第２の無線アクセスノードからの前記受信されたランダムアクセス応答に基づくステップと、
をさらに含む方法。
【請求項１０】
請求項９に記載の方法であって、前記２つのアクセスノードのうちの１つを選択するステップは、
前記第１および前記第２の無線アクセスノードからの前記受信されたランダムアクセス応答の受信電力に基づいて、前記２つのアクセスノード（２、３）のうちの１つを選択することを含む方法。
【請求項１１】
ユーザ機器（ＵＥ）（６）と無線アクセスネットワークとの間でランダムアクセス手順を実行するように動作可能な第１の無線アクセスノード（２）であって、前記無線アクセスネットワークは、前記第１の無線アクセスノード（２）と第２の無線アクセスノード（３）とを備え、前記２つのアクセスノードは異なるセットのシグネチャシーケンスを含み、前記シグネチャシーケンスは前記アクセスノードによって、異なるＵＥから到来する要求を区別するために使用され、前記第１の無線アクセスノードは、
前記ＵＥからランダムアクセス要求を受信するように動作可能な受信機器（４０４）であって、前記ランダムアクセス要求はシグネチャシーケンスを含む受信機器と、
前記要求に含まれる前記シグネチャシーケンスに基づいて、前記ランダムアクセス要求が前記第１の無線アクセスノードに向けられていることを判定するように動作可能なプロセス機器（４０２）と、
を備え、
前記受信機器（４０４）は、前記第２の無線アクセスノードから前記ランダムアクセス要求を受信するようにさらに動作可能であり、それによって、前記第２の無線アクセスノードも前記ＵＥから前記ランダムアクセス要求を受信したことを示し、
前記第１の無線アクセスノードはさらに、
前記ＵＥからの前記受信されたランダムアクセス要求に基づいて、かつ前記第２の無線アクセスノードから受信された前記ランダムアクセス要求に基づいて、応答を送信するように動作可能な送信機器（４０６）
を備える第１の無線アクセスノード。
【請求項１２】
請求項１１に記載の第１の無線アクセスノードであって、前記送信機器（４０６）はさらに、
前記ＵＥにランダムアクセス応答を送信し、前記ランダムアクセス応答は、前記ＵＥと前記第１の無線アクセスノードとの間のさらなる通信のために使用されるＩＤを含み、かつ／または
前記ランダムアクセス要求に基づいて前記ＵＥに応答するように前記第２のノードに要求する要求を前記アクセスノードに送信する、
第１の無線アクセスノード。
【請求項１３】
請求項１１または１２に記載の第１の無線アクセスノード（２）であって、前記送信機器（４０６）は、異なるＵＥから前記第１の無線アクセスノード（２）に到来する要求を区別するために前記第１の無線アクセスノード（２）によって使用されるシグネチャシーケンスの第１のセットを前記第２の無線アクセスノード（３）に送信するようにさらに動作可能であり、かつ／または前記受信機器（４０４）は、異なるＵＥから前記第２の無線アクセスノード（３）に到来する要求を区別するために前記第２の無線アクセスノード（３）によって使用されるシグネチャシーケンスの第２のセットを前記第２の無線アクセスノード（３）から受信するようにさらに動作可能である、第１の無線アクセスノード。
【請求項１４】
ユーザ機器ＵＥ（６）と無線アクセスネットワークとの間のランダムアクセス手順を実行するように動作可能な第２の無線アクセスノード（３）であって、
前記無線アクセスネットワークは、第１の無線アクセスノード（２）と前記第２の無線アクセスノード（３）とを含み、前記２つのアクセスノード（２，３）は、シグネチャシーケンスの異なるセットを含み、前記シグネチャシーケンスは、前記アクセスノードによって、異なるＵＥから到来する要求を区別するために使用され、前記第２の無線アクセスノードは、
前記ＵＥからランダムアクセス要求を受信するように動作可能な受信機器（５０４）であって、前記ランダムアクセス要求はシグネチャシーケンスを含む受信機器と、
前記要求に含まれる前記シグネチャシーケンスに基づいて、前記ランダムアクセス要求が前記第１の無線アクセスノードに向けられていることを判定するように動作可能なプロセス機器（５０２）と、
前記第１の無線アクセスノードへ前記ランダムアクセス要求を送信するように動作可能な送信機器であって、それによって、前記第２の無線アクセスノードも前記ＵＥから前記ランダムアクセス要求を受信したことを示す送信機器（５０６）と、
を備える第２の無線アクセスノード。
【請求項１５】
請求項１４に記載の第２の無線アクセスノードであって、前記受信機器（５０４）は、前記第１の無線アクセスノードから、前記ランダムアクセス要求に基づいて前記ＵＥに応答するように前記第２のノードに要求する要求を受信するようにさらに動作可能であり、前記送信機器は、前記ＵＥにランダムアクセス応答を送信するようにさらに動作可能であって、前記ランダムアクセス応答は前記ＵＥと前記第２の無線アクセスノードとの間のさらなる通信のために使用されるＩＤを含む、第２の無線アクセスノード。
【請求項１６】
請求項１４または１５に記載の第２の無線アクセスノードであって、前記送信機器（５０６）は、異なるＵＥから前記第２の無線アクセスノードに到来する要求を区別するために前記第２の無線アクセスノードによって使用されるシグネチャシーケンスの第２のセットを前記第１の無線アクセスノードに送信するようにさらに動作可能であり、かつ／または前記受信機器は、異なるＵＥから前記第１の無線アクセスノードに到来する要求を区別するために前記第１の無線アクセスノードによって使用されるシグネチャシーケンスの第１のセットを前記第１の無線アクセスノードから受信するようにさらに動作可能である、第２の無線アクセスノード。
【請求項１７】
請求項１４または１６に記載の第２の無線アクセスノード（３）であって、前記プロセス機器（５０２）は、前記ＵＥ(６）にランダムアクセス応答を送信することを決定するようにさらに動作可能であり、前記決定は、
前記ランダムアクセス要求が前記ＵＥから受信される電力と、
前記第２の無線アクセスノードに関する所定の規則と、前記第１の無線アクセスノードに関する所定の規則と、
のうちの少なくとも１つに基づき、
前記第２の無線アクセスノードにより、前記ＵＥにランダムアクセス応答を送信し、前記ランダムアクセス応答は、前記ＵＥと前記第２の無線アクセスノードとの間のさらなる通信のために使用されるＩＤを含む、
第２の無線アクセスノード。
【請求項１８】
ユーザ機器（ＵＥ）と無線アクセスネットワークとの間でランダムアクセス手順を実行するように動作可能なユーザ機器（６，６０１）であって、前記無線アクセスネットワークは２つのアクセスノードを備え、前記２つのアクセスノードは異なるセットのシグネチャシーケンスを有し、前記シグネチャシーケンスは前記アクセスノードによって、異なるＵＥから到来する要求を区別するために使用され、前記ＵＥは、
前記ＵＥからランダムアクセス要求を送信するように動作可能な送信機器（６０５）であって、前記ランダムアクセス要求は、前記２つのアクセスノードのうちの第１のアクセスノードのためのシグネチャシーケンスを含む送信機器と、
前記２つのアクセスノードのうちの第２のアクセスノードからランダムアクセス応答を受信するように動作可能な受信機器（６０３）であって、前記ランダムアクセス応答は、前記ＵＥと前記第２の無線アクセスノードとの間のさらなる通信のために使用されるＩＤを含む、受信機器と、を備える、
ユーザ機器。
【請求項１９】
請求項１８に記載のユーザ機器（６０１，６）であって、前記受信機器は、前記第１の無線アクセスノードからランダムアクセス応答を受信するようにさらに動作可能であり、前記ランダムアクセス応答は前記ＵＥと前記第１の無線アクセスノードとの間のさらなる通信のために使用されるべきＩＤを含み、また前記ＵＥは、前記選択されたアクセスノードへの接続の確立を継続するために前記２つのアクセスノードのうちの１つを選択するように動作可能な選択機器をさらに含み、前記選択は前記第１の無線アクセスノードからの前記受信されたランダムアクセス応答に基づき、かつ前記第２の無線アクセスノードからの前記受信されたランダムアクセス応答に基づく、ユーザ機器。
【請求項２０】
少なくとも１つのプロセッサ上で実行されると、少なくとも１つのプロセッサに、請求項１乃至１０のいずれか一項に記載の方法を実行させる命令を含む可読記憶媒体を含むコンピュータプログラム製品。
【請求項２１】
ユーザ機器（ＵＥ）と無線アクセスネットワークとの間でランダムアクセス手順を実行するように動作可能な第１の無線アクセスノード（２）であって、前記無線アクセスネットワークは、前記第１の無線アクセスノードと第２の無線アクセスノードとを備え、前記２つのアクセスノードは異なるセットのシグネチャシーケンスを含み、前記シグネチャシーケンスは前記アクセスノードによって、異なるＵＥから到来する要求を区別するために使用され、前記第１の無線アクセスノードは、
前記ＵＥからランダムアクセス要求を受信する受信モジュールであって、前記ランダムアクセス要求はシグネチャシーケンスを含む受信モジュールと、
前記要求に含まれる前記シグネチャシーケンスに基づいて、前記ランダムアクセス要求が前記第１の無線アクセスノードに向けられていることを判定するプロセスモジュールとを備え、
前記受信モジュールは、前記第２の無線アクセスノードから前記ランダムアクセス要求をさらに受信し、それによって、前記第２の無線アクセスノードも前記ＵＥから前記ランダムアクセス要求を受信したことを示し、
前記第１の無線アクセスノードはさらに、
前記ＵＥからの前記受信されたランダムアクセス要求に基づいて、かつ前記第２の無線アクセスノードから受信された前記ランダムアクセス要求に基づいて、応答を送信する送信モジュールをさらに備える、第１の無線アクセスノード。
【請求項２２】
ユーザ機器（ＵＥ）と無線アクセスネットワークとの間でランダムアクセス手順を実行するように動作可能な第２の無線アクセスノード（３）であって、前記無線アクセスネットワークは、第１の無線アクセスノードと前記第２の無線アクセスノードとを備え、前記２つのアクセスノードは異なるセットのシグネチャシーケンスを含み、前記シグネチャシーケンスは前記アクセスノードによって、異なるＵＥから到来する要求を区別するために使用され、前記第２の無線アクセスノードは、
前記ＵＥからランダムアクセス要求を受信する受信モジュールであって、前記ランダムアクセス要求はシグネチャシーケンスを含む受信モジュールと、
前記要求に含まれる前記シグネチャシーケンスに基づいて、前記ランダムアクセス要求が前記第１の無線アクセスノードに向けられていることを判定するプロセスモジュールと、
前記第１の無線アクセスノードへと前記ランダムアクセス要求を送信する送信モジュールであって、それによって、前記第２の無線アクセスノードも前記ＵＥから前記ランダムアクセス要求を受信したことを示す送信モジュールと、
を備える第２の無線アクセスノード。
【請求項２３】
ユーザ機器（ＵＥ）と無線アクセスネットワークとの間でランダムアクセス手順を実行するように動作可能なユーザ機器（６，６０１）であって、前記無線アクセスネットワークは２つのアクセスノードを備え、前記２つのアクセスノードは異なるセットのシグネチャシーケンスを有し、前記シグネチャシーケンスは前記アクセスノードによって、異なるＵＥから到来する要求を区別するために使用され、前記ＵＥは、
前記ＵＥからランダムアクセス要求を送信する送信モジュールであって、前記ランダムアクセス要求は、前記２つのアクセスノードのうちの第１のアクセスノードのためのシグネチャシーケンスを含む送信モジュールと、
前記２つのアクセスノードのうちの第２のアクセスノードからランダムアクセス応答を受信するための受信モジュールであって、前記ランダムアクセス応答は、前記ＵＥと前記第２の無線アクセスノードとの間のさらなる通信のために使用されるＩＤを含む、受信モジュールと、
を備えるユーザ機器。
【発明の詳細な説明】
【技術分野】
【０００１】
本発明は一般に、無線アクセスネットワークに関し、より具体的には、ユーザ機器ＵＥと、２つのアクセスノードを備える無線アクセスネットワークとの間でランダムアクセス手順を実行する動作に関する。
【背景技術】
【０００２】
無線アクセスネットワーク（ＲＡＮ）は、ユーザ機器（ＵＥ）をコアネットワークに接続する責任を負う移動通信システムの一部である。無線アクセスネットワークは、第３世代（３Ｇ）、第４世代（４Ｇ）、およびロングタームエボリューション（ＬＴＥ）などの特定の無線アクセス技術を実装する。
【０００３】
異なるタイプの無線アクセスネットワークが存在する。例えば、ＵＴＲＡＮ(Universal Terrestrial Radio Access Network)は、ＵＥを公衆インターネットに接続するネットワークおよび機器のために使用される用語である。ＵＴＲＡＮは、ノードＢと呼ばれる基地局および無線ネットワークコントローラを備える。別の例はＥ−ＵＴＲＡＮ(Evolved Universal Terrestrial Radio Access Network)であり、これは、当初はＵＭＴＳ(Universal Mobile Telecommunications System)の代替として計画されている。進化型ノードＢは、ＵＴＲＡＮアクセスネットワークにおけるノードＢの進化である、Ｅ−ＵＴＲＡＮにおける要素である。
【０００４】
ランダムアクセス手順は一般に、データ転送を開始するために、ユーザ機器（ＵＥ）によって使用される。そのようなランダムアクセス手順は、ＵＥを基地局に向かって、すなわちＵＥから無線アクセスネットワークのアクセスノード、すなわちｅＮｏｄｅＢまたはノードＢに向かって同期させるために使用される。
【０００５】
ロングタームエボリューションにおいてランダムアクセスを実行する場合、ＵＥは、ＲＡＣＨプリアンブルシーケンスと呼ばれる特定のパターンまたはシグネチャを送信する。そのシーケンスは、ルートシーケンスと、無線基地局によってブロードキャストされる何らかの変換とから導出される。これは、この基地局に向けて使用することができる多数の可能なプリアンブルシーケンスを生成する。
【０００６】
ＵＥによって選択されたプリアンブルシーケンスは、同時にアクセスを行うＵＥを互いに区別するために使用される。衝突処理は、通常はランダムアクセス手順の後半にも存在する。プリアンブルシーケンスの選択はまた、プリアンブルを選択するときに、ＵＥに、現在の推定された経路損失およびメッセージサイズならびにカバレージ強化技術を考慮に入れさせるように構成され得る。
【０００７】
特定の無線基地局に向けて使用されるべきプリアンブルルートシーケンスは、ＵＥにブロードキャストされる。ハンドオーバのために、ＵＥが他の任意のＵＥによって同時に構成／使用されない特定のプリアンブルシーケンスを使用する場合に使用可能にされる専用ランダムアクセスもあり得る。これは、無競合ランダムアクセスと呼ばれる。隣接基地局がルートプリアンブルシーケンスの同じセットを使用することを回避するために、プリアンブルシーケンスは、計画されるか、または自動的に構成されるか、または計算される。プリアンブルルートシーケンスが２つの基地局間で一意である場合、第１のランダムアクセスメッセージのためにＵＥによって使用されるプリアンブルシーケンスと一致する基地局のみが応答する。上記はＬＴＥに有効であり、かつ、５Ｇまたは新しい無線アクセス技術（ＲＡＴ）にも有効であると予想される高い水準にある。
【０００８】
２つの隣接する基地局、すなわち、異なるＲＡＣＨ構成を有するこれら２つの基地局の間で固有のプリアンブルシーケンスを使用することにより、ＵＥがランダムアクセスを実行するように意図された基地局のみが応答することが保証される。あるＵＥからのランダムアクセス要求と、プリアンブルシーケンスに一致する基地局からのランダムアクセス応答との間には、１対１のマッピングがある。プリアンブルシーケンスは各基地局によって送信されたＲＡＣＨ構成からＵＥによって選択され、通常はＵＥが最も強いものを選択する。
【０００９】
上述のような手順には、ロバスト性を提供しないという欠点がある。すなわち、ＵＥによって送信された要求は失われる可能性があり、したがって、無線アクセスノードによって受信されない。そのような場合、失われた要求は、ＵＥによって再び送信される。今度は無線アクセスノードが要求を受信すること、すなわち、要求が失われないことを確実にするために、要求は、より高い送信電力で送信される。しかし、この手順は面倒である。
【発明の概要】
【００１０】
本発明の目的は、ユーザ装置ＵＥと無線アクセスネットワークとの間でランダムアクセス手順を実行する方法を提供することである。
【００１１】
別の目的は、ＵＥとアクセスネットワークとの間でランダムアクセス手順を実行するための、第１の無線アクセスノード、第２の無線アクセスノード、ならびにＵＥを提供することである。
【００１２】
第１の態様では、ユーザ機器（ＵＥ）と無線アクセスネットワークとの間でランダムアクセス手順を実行する方法が提供され、前記無線アクセスネットワークは２つのアクセスノードを備え、前記２つのアクセスノードは異なるセットのシグネチャシーケンスを有し、前記シグネチャシーケンスは前記アクセスノードによって、異なるＵＥから来る要求を区別するために使用される。
【００１３】
本方法は、前記２つのアクセスノードのうちの第１のアクセスノードにより、前記ＵＥからランダムアクセス要求を受信するステップであって、前記ランダムアクセス要求はシグネチャシーケンスを含むステップと、前記第１の無線アクセスノードにより、前記要求に含まれた前記シグネチャシーケンスに基づいて前記第１の無線アクセスノードに対する前記ランダムアクセス要求が意図されていることを判定するステップと、前記第１の無線アクセスノードにより、前記２つのアクセスノードのうちの第２のアクセスノードから前記ランダムアクセス要求を受信するステップであって、それによって、前記第２の無線アクセスノードも前記ＵＥから前記ランダムアクセス要求を受信したことを示すステップと、前記第１の無線アクセスノードにより、前記ＵＥから受信した前記ランダムアクセス要求に基づいて、かつ前記第２の無線アクセスノードから受信した前記ランダムアクセス要求に基づいて、応答を送信するステップとを含む。
【００１４】
この方法は、第１の無線アクセスノードが、第２の無線アクセスノードもＵＥからランダムアクセス要求を受信したことを認識している場合に有利であるという洞察に少なくとも基づく。この情報は、ＵＥおよび／または第２の基地局に応答を送信する際に、第１の基地局によって使用される。提示された方法は、したがって、ＵＥにダイバーシティ利得を提供するので有利である。
【００１５】
本開示によれば、シグネチャシーケンスのセットは、ロングタームエボリューション（ＬＴＥ）ネットワークで使用されるランダムアクセスチャネル（ＲＡＣＨ）プリアンブルシーケンスを含むことができることに留意されたい。
【００１６】
以下、本方法を実施することができるランダムアクセス手順の基本原理を説明する。
【００１７】
第１のステップでは、第１のメッセージがＵＥによってネットワークに向けて送信される。そうするために、ＵＥは、複数のＲＡＣＨプリアンブルのうちの１つを選択することができる。
【００１８】
またＵＥは、ネットワークが後続のステップでそれに対処することができるように、それ自体のＩＤをネットワークに与える必要があり得る。ＵＥが使用するＩＤは通常、ランダムアクセス無線ネットワーク一時ＩＤ、すなわち、ＲＡ−ＲＮＴＩと呼ばれる。ＲＡ−ＲＮＴＩは、通常、プリアンブルが送信されるタイムスロット番号から決定される。ＵＥがネットワークからフィードバックを受信しない場合、ＵＥはメッセージが失われたと仮定し、固定された間隔でその電力を増加させ、メッセージを再び送信する。
【００１９】
第２のステップでは、アクセスノード、例えば無線基地局またはｅＮｏｄｅＢなどのアクセスノードは、特定のダウンリンクチャネル上でＵＥにランダムアクセス応答を送り返す。メッセージは、ＵＥを識別するための一時セル無線ネットワーク一時ＩＤ、一時Ｃ−ＲＮＴＩ、ならびにタイミングアドバンス値を搬送することができる。タイミングアドバンス値は、アクセスノードからのＵＥの距離に起因する任意の往復遅延を補償することができるように、そのタイミングを変更するようにＵＥに通知することを意図される。
【００２０】
第３のステップでは、ＵＥが接続要求メッセージをアクセスノードに送信し、ＵＥは一時セル無線ネットワーク一時ＩＤによって識別される。
【００２１】
第４のステップでは、アクセスノードがＵＥに向けての競合解決メッセージで応答する。このメッセージは、通常はＵＥとのさらなる通信のために使用されるセル無線ネットワーク一時ＩＤを含む。
【００２２】
本開示の利点は、主にＬＴＥネットワークに関して開示されることに留意されたい。しかしこの利点は、他のタイプのネットワークにおいても得られる。
【００２３】
本開示によれば、第１の無線アクセスノードのカバレージエリアは、第２の無線アクセスノードのカバレージエリアと重複することに留意されたい。ＵＥは、両方のカバレージエリアの重複部分内に位置する。したがって、ＵＥによって送信された要求は、第１の無線アクセスノードおよび第２の無線アクセスノードによってピックアップ、すなわち受信されうる。
【００２４】
さらに、本開示は、２つの無線アクセスノードの協働を対象とする。同じ原理がさらに多くの無線アクセスノード、すなわち、２つ以上の無線アクセスノードに適用可能であることに留意されたい。
【００２５】
一例では、応答を送信するステップが、ランダムアクセス応答を前記ＵＥに送信することであって、前記ランダムアクセス応答が前記ＵＥと前記第１の無線アクセスノードとの間のさらなる通信のために使用されるＩＤを含むことと、前記第２の無線アクセスノードに、前記ランダムアクセス要求に基づいて前記ＵＥに応答するように前記第２の無線アクセスノードに要求する要求を送信することとのうちのひとつを含む。
【００２６】
第１の無線アクセスノードは、第２の無線アクセスノードから受信した情報を使用して、ランダムアクセス要求が第２の無線アクセスノードに送信されたことをよりよく検出することができる。言い換えれば、第２の無線アクセスノードから受信されたランダムアクセス要求は、ＵＥから受信されたランダムアクセス要求を受信すること、または回復することを支援する。第１の無線アクセスノードは、ＵＥからの要求を聞く際に問題を有する可能性があり、および／またはゴーストアクセスなどを回避する可能性がある。したがって、この例は、ＵＥからの要求が第１の無線アクセスノードによって正しく受信される確率が増大するので、ランダムアクセス手順の信頼性を改善するという利点を有する。
【００２７】
別のオプションとして、前記第１の無線アクセスノードは、前記第２の無線アクセスノードに直接応答して、前記ＵＥによって送信された前記要求に応答するように前記第２の無線アクセスノードに要求する。このオプションは例えば、第１の無線アクセスノードがＵＥからランダムアクセス要求を誤って受信した場合、または信号対雑音比（ＳＮＲ）が悪い場合にはいつでも使用される。これはまた、そのような場合に、第２の無線アクセスノードがＵＥにサービスを提供するように、手順の信頼性を改善する。これが当てはまらない場合、ＵＥからの要求は失われ、ＵＥは、おそらく改善された送信電力で、追加のランダムアクセス要求を送信する必要がある。
【００２８】
さらなる例では、方法が以下のステップのうちの少なくとも１つをさらに含む：
−異なるＵＥから前記第１の無線アクセスノードに到来する要求を区別するために、前記第１の無線アクセスノードによって使用されるシグネチャシーケンスの第１のセットを、前記第１の無線アクセスノードにより前記第２の無線アクセスノードに送信する；
−異なるＵＥから前記第２の無線アクセスノードに到来する要求を区別するために、前記第２の無線アクセスノードによって使用されるシグネチャシーケンスの第２のセットを、前記第１の無線アクセスノードにより前記第２の無線アクセスノードから受信する。
【００２９】
上記で開示された例は、無線アクセスノードの各々が、ＵＥから受信されたランダムアクセス要求に基づいて、どの無線アクセスノードが意図された受信機であったかを判定することを可能にする。すなわち、無線アクセスノードは要求に含まれるシグネチャシーケンスに基づいて、どの隣接無線アクセスノードが要求によって意図されたかを判定することができ、その後、その受信された要求を意図された無線アクセスノードに転送することができる。これは、先行技術に対する例の明らかな利点である。
【００３０】
これらの無線アクセスノード間の情報交換は、無線アクセスノードの起動、構成、または再構成の間に起こり得る。
【００３１】
さらに、この例の利点の１つは、無線アクセスノードが、どのシグネチャシーケンス、例えばプリアンブルシーケンスが隣接するアクセスノードによって使用されるかを認識しており、したがって、受信および送信ダイバーシティが得られることである。無線アクセスノードがＵＥからランダムアクセス要求を正しく受信する際に問題を有する場合、隣接する無線アクセスノードは、アクセシビリティを助け、改善することができる。ＵＥからのランダムアクセス要求は例えば、無線スペクトルにおける短い妨害のために、または２つのＵＥが偶然に全く同じシグネチャシーケンスを使用したという全くの偶然の一致によって、第１の無線アクセスノードによって誤って受信される可能性がある。
【００３２】
本開示による方法およびデバイスによって含まれる異なる態様の表現、すなわち、文言は、文字通りに解釈されるべきではない。その態様の文言は、その態様の実際の機能の背後にある理論的根拠を正確に表すために選択されるに過ぎない。
【００３３】
本開示によれば、方法の上述の例に適用可能な異なる態様は、その優位性を含めて、通信ネットワークのデバイスに適用可能な態様に対応する。
【００３４】
第２の態様では、ユーザ機器（ＵＥ）と無線アクセスネットワークとの間でランダムアクセス手順を実行する方法が提供され、前記無線アクセスネットワークは２つのアクセスノードを備え、前記２つのアクセスノードは異なるセットのシグネチャシーケンスを有し、前記シグネチャシーケンスは前記アクセスノードによって、異なるＵＥから到来する要求を区別するために使用される。
【００３５】
本方法は、前記２つのアクセスノードのうちの第２のアクセスノードにより、前記ＵＥからランダムアクセス要求を受信するステップであって、前記ランダムアクセス要求はシグネチャシーケンスを含むステップと、前記第２の無線アクセスノードにより、前記要求に含まれた前記シグネチャシーケンスに基づいて前記第１の無線アクセスノードに対する前記ランダムアクセス要求が意図されていることを判定するステップと、前記第２の無線アクセスノードにより、前記第１の無線アクセスノードへと前記ランダムアクセス要求を送信するステップであって、それによって、前記第２の無線アクセスノードも前記ＵＥから前記ランダムアクセス要求を受信したことを示すステップとを含む。
【００３６】
上述した方法の利点は、第１の無線アクセスノードに、第２の無線アクセスノードもＵＥからランダムアクセス要求を受信したことを認識することである。したがって、これは、第１の無線アクセスノードが動作すること、すなわち、ランダムアクセス応答自体をＵＥに送信するかどうか、または第１の無線アクセスノードがランダムアクセス要求に基づいてＵＥに応答する要求を第２の無線アクセスノードに送信すべきかどうかを決定することを可能にする。
【００３７】
集中無線アクセスネットワークの場合、無線アクセスノードは、遠隔無線ヘッドベースバンドユニットと呼ばれる無線機能ユニットと、ベースバンドユニットと呼ばれるプロセッサ機能との組み合わせであってもよい。アクセスノードの機能の他の分割も可能である。また、プロセッサ機能がクラウド上で動作することも考えられる。
【００３８】
一例では、方法が、前記第２の無線アクセスノードにより、前記第１の無線アクセスノードから、前記ランダムアクセス要求に基づいて前記ＵＥに応答するように前記第２の無線アクセスノードに要求する要求を受信するステップと、前記第２の無線アクセスノードにより、前記ＵＥにランダムアクセス応答を送信するステップであって、前記ランダムアクセス応答は前記ＵＥと前記第２の無線アクセスノードとの間のさらなる通信のために使用されるＩＤを含むステップとをさらに含む。
【００３９】
上述の例は、第１の無線アクセスノードが、第２の無線アクセスノードがランダムアクセス要求に応答すべきであると判定する状況に向けられている。この判定は、第１の無線アクセスノードによって受信された不十分な、または誤って受信されたランダムアクセス要求、および／または第１の無線アクセスノードの過負荷状態、および／または前記ランダムアクセス要求に対する第１の無線アクセスノードの非互換性などに基づくことができる。したがって、第１の無線アクセスノードは、ランダムアクセス要求に基づいてＵＥに応答するように第２の無線アクセスノードに要求する要求を第２の無線アクセスノードに送信する。この例の利点は、ＵＥがより良好にサービスされることである。すなわち、第１の無線アクセスノードがＵＥにサービスすることができない場合であっても、第２の無線アクセスノードはＵＥにサービスする。これは、ＵＥがより信頼できるサービスを受けることを保証する。
【００４０】
さらなる例では、方法が、異なるＵＥから前記第２の無線アクセスノードに到来する要求を区別するために前記第２の無線アクセスノードによって使用されるシグネチャシーケンスの第２のセットを、前記第２の無線アクセスノードにより前記第１の無線アクセスノードに送信するステップと、異なるＵＥから前記第１の無線アクセスノードに到来する要求を区別するために前記第１の無線アクセスノードによって使用されるシグネチャシーケンスの第１のセットを前記第１の無線アクセスノードから前記第２の無線アクセスノードにより受信するステップと、のうちの少なくとも１つをさらに含む。
【００４１】
上述の例は、シグネチャシーケンスのセットが無線アクセスノードのうちの１つ、または両方に利用可能にされる状況を対象とする。特定の無線アクセスノードがその隣接する無線アクセスノードのシグネチャシーケンスのセットも所有している場合、どの無線アクセスノードがＵＥによって送信されたランダムアクセス要求のための意図された受信者であるかを判定することができる。無線アクセスノードはどの無線アクセスノードが意図された受信機であったかを判定するために、要求によって含まれるシグネチャシーケンスをシグネチャシーケンスのすべての利用可能なセットと相関させることができる。
【００４２】
さらなる例では方法が、前記第２の無線アクセスノードにより、前記ＵＥにランダムアクセス応答を送信することを決定するステップであって、前記決定は、前記ランダムアクセス要求が前記ＵＥから受信される電力、前記第２の無線アクセスノードに関する所定の規則、および前記第１の無線アクセスノードに関する所定の規則のうちの少なくとも１つに基づいているステップをさらに含み、またその方法は、前記第２の無線アクセスノードによりランダムアクセス応答を前記ＵＥに送信するステップであって、前記ランダムアクセス応答は前記ＵＥと前記第２の無線アクセスノードとの間のさらなる通信のために使用されるＩＤを含むステップを含む。
【００４３】
上述の例は、第２の無線アクセスノードが、第１の無線アクセスノードから受信された任意の命令および／またはコマンドにかかわらず、ＵＥに応答を送信することを決定する状況を対象とする。この決定は、第１の無線アクセスノードと第２の無線アクセスノードとの間で行われた所定の合意に基づくことができる。この利点は、第２の無線アクセスノードがより適切にサービスされる確率が増加することである。
【００４４】
例えば、受信された要求の信号対雑音比（ＳＮＲ）が所定のＳＮＲ閾値を超える場合、第２の無線アクセスノードは、第１の無線アクセスノードにランダムアクセス応答を送信するように最初に要求することなく、ランダムアクセス応答をＵＥに送信することを決定することができる。
【００４５】
第３の態様では、ユーザ機器（ＵＥ）と無線アクセスネットワークとの間でランダムアクセス手順を実行する方法が提供され、前記無線アクセスネットワークは２つのアクセスノードを備え、前記２つのアクセスノードは異なるセットのシグネチャシーケンスを有し、前記シグネチャシーケンスは前記アクセスノードによって、異なるＵＥから来る要求を区別するために使用される。
【００４６】
この方法は、前記ＵＥからのランダムアクセス要求を前記ＵＥにより送信するステップであって、前記ランダムアクセス要求は前記２つのアクセスノードのうちの第１のアクセスノードのためのシグネチャシーケンスを含むステップと、前記ＵＥにより、前記２つのアクセスノードのうちの第２のアクセスノードからランダムアクセス応答を受信するステップであって、前記ランダムアクセス応答は、前記ＵＥと前記第２の無線アクセスノードとの間のさらなる通信のために用いられるＩＤを含むステップと、を含む。
【００４７】
上述の例は、ＵＥによって実行される方法ステップを対象とする。この状況では、ＵＥが第１の無線アクセスノードに向けてランダムアクセス要求を送信する。すなわち、ランダムアクセス要求は、第１の無線アクセスノードに対して指定されるシグネチャシーケンスを含む。しかし、ＵＥは、第２の無線アクセスノードからランダムアクセス応答を受信する。ランダムアクセス応答は、ＵＥと第２の無線アクセスノードとの間のさらなる通信のために使用されるＩＤを含む。この例の利点は、ＵＥがランダムアクセス要求を第１の無線アクセスノードに送信するが、第２の無線アクセスノードに対するランダムアクセス応答を受信する状況に対処するのに適したものにされることである。
【００４８】
一例では、方法が、前記ＵＥにより、前記第１の無線アクセスノードからランダムアクセス応答を受信するステップであって、前記ランダムアクセス応答は前記ＵＥと前記第１の無線アクセスノードとの間のさらなる通信のために使用されるべきＩＤを含むステップと、前記ＵＥにより、前記選択されたアクセスノードへの接続の確立を継続するために前記２つのアクセスノードのうちの１つを選択するステップであって、前記選択は前記第１の無線アクセスノードからの前記受信されたランダムアクセス応答に基づき、かつ前記第２の無線アクセスノードからの前記受信されたランダムアクセス応答に基づくステップと、をさらに含む。
【００４９】
上述の例は、ＵＥが、第１の無線アクセスノードから、および第２の無線アクセスノードからランダムアクセス応答を受信する状況に向けられている。この状況では、ＵＥがネットワークへの接続の確立を継続するために、２つの無線アクセスノードのうちのどちらを選択すべきかを選択することができる。
【００５０】
その選択は例えば、第１および第２の無線アクセスノードから受信されたランダムアクセス応答の受信電力に基づいてよい。別の選択肢は、受信された応答のタイミングに基づいて選択が行われることである。
【００５１】
第４の態様では、ユーザ機器（ＵＥ）と無線アクセスネットワークとの間でランダムアクセス手順を実行するように動作可能な第１の無線アクセスノードが提供され、前記無線アクセスネットワークは、前記第１の無線アクセスノードと第２の無線アクセスノードとを備え、前記２つのアクセスノードは異なるセットのシグネチャシーケンスを含み、前記シグネチャシーケンスは前記アクセスノードによって、異なるＵＥから到来する要求を区別するために使用される。
【００５２】
前記第１の無線アクセスノードは、前記ＵＥからランダムアクセス要求を受信するように動作可能な受信機器であって、前記ランダムアクセス要求はシグネチャシーケンスを含む受信機器を含み、前記第１の無線アクセスノードは、前記ランダムアクセス要求が、前記要求に含まれる前記シグネチャシーケンスに基づいて、前記第１の無線アクセスノードに向けられていることを判定するように動作可能なプロセス機器を含み、前記受信機器は、前記第２の無線アクセスノードから前記ランダムアクセス要求を受信するようにさらに動作可能であり、それによって、前記第２の無線アクセスノードがまた前記ＵＥから前記ランダムアクセス要求を受信したことを示し、前記第１の無線アクセスノードは、前記ＵＥからの前記受信されたランダムアクセス要求に基づき、かつ、前記第２の無線アクセスノードから受信された前記ランダムアクセス要求に基づいて応答を送信するように動作可能な送信機器をさらに含む。
【００５３】
一例では、前記送信機器がランダムアクセス応答を前記ＵＥに送信するようにさらに動作可能であり、前記ランダムアクセス応答は前記ＵＥと前記第１の無線アクセスノードとの間のさらなる通信のために使用されるＩＤを含み、および／または要求を前記アクセスノードに送信して、前記ランダムアクセス要求に基づいて前記ＵＥに応答するように前記第２のノードに要求する。
【００５４】
さらなる例では、前記送信機器は、異なるＵＥから前記第１の無線アクセスノードに到来する要求を区別するために、前記第１の無線アクセスノードによって使用されるシグネチャシーケンスの第１のセットを、前記第２の無線アクセスノードに送信するようにさらに動作可能であり、および／または、前記受信機器は、
異なるＵＥから前記第２の無線アクセスノードに到来する要求を区別するために、前記第２の無線アクセスノードによって使用されるシグネチャシーケンスの第２のセットを、前記第２の無線アクセスノードから受信するようにさらに動作可能である。
【００５５】
第５の態様では、ユーザ機器（ＵＥ）と無線アクセスネットワークとの間でランダムアクセス手順を実行するように動作可能な第２の無線アクセスノードが提供され、前記無線アクセスネットワークは、第１の無線アクセスノードと前記第２の無線アクセスノードとを備え、前記２つのアクセスノードは異なるセットのシグネチャシーケンスを含み、前記シグネチャシーケンスは前記アクセスノードによって、異なるＵＥから到来する要求を区別するために使用される。
【００５６】
前記第２の無線アクセスノードは、前記ＵＥからランダムアクセス要求を受信するように動作可能な受信機器であって、前記ランダムアクセス要求はシグネチャシーケンスを含む受信機器と、前記ランダムアクセス要求が、前記要求に含まれる前記シグネチャシーケンスに基づいて、前記第１の無線アクセスノードに向けられていることを判定するように動作可能なプロセス機器と、前記第１の無線アクセスノードに前記ランダムアクセス要求を送信するように動作可能な送信機器であって、それにより、前記第２の無線アクセスノードもまた、前記ランダムアクセス要求を前記ＵＥから受信したことを示す送信機器とを含む。
【００５７】
一例では、前記受信機器は、前記第１の無線アクセスノードから、前記ランダムアクセス要求に基づいて前記ＵＥに応答するように前記第２のノードに要求する要求を受信するようにさらに動作可能であり、前記送信機器は、前記ＵＥにランダムアクセス応答を送信するようにさらに動作可能であって、前記ランダムアクセス応答は前記ＵＥと前記第２の無線アクセスノードとの間のさらなる通信のために使用されるＩＤを含む。
【００５８】
さらなる例では、送信機器は、異なるＵＥから前記第２の無線アクセスノードに到来する要求を区別するために前記第２の無線アクセスノードによって使用されるシグネチャシーケンスの第２のセットを前記第１の無線アクセスノードに送信するようにさらに動作可能であり、および／または前記受信機器は、異なるＵＥから前記第１の無線アクセスノードに到来する要求を区別するために前記第１の無線アクセスノードによって使用されるシグネチャシーケンスの第１のセットを前記第１の無線アクセスノードから受信するようにさらに動作可能である。
【００５９】
別の例では、プロセス機器がランダムアクセス応答を前記ＵＥに送信することを決定するようにさらに動作可能であり、前記決定は、前記ランダムアクセス要求が前記ＵＥから受信される電力、前記第２の無線アクセスノードに関する事前定義された規則、前記第１の無線アクセスノードに関する事前定義された規則、のうちの少なくとも１つに基づいており、および前記第２の無線アクセスノードによってランダムアクセス応答を前記ＵＥに送信するために動作可能であり、前記ランダムアクセス応答は前記ＵＥと前記第２の無線アクセスノードとの間のさらなる通信のために使用されるＩＤを含む。
【００６０】
第６の態様では、ユーザ機器（ＵＥ）と無線アクセスネットワークとの間でランダムアクセス手順を実行するように動作可能な前記ユーザ機器（ＵＥ）が提供され、前記無線アクセスネットワークは２つのアクセスノードを備え、前記２つのアクセスノードは異なるセットのシグネチャシーケンスを有し、前記シグネチャシーケンスは前記アクセスノードによって、異なるＵＥから到来する要求を区別するために使用される。
【００６１】
前記ＵＥは、前記ＵＥからのランダムアクセス要求を送信するように動作可能な送信機器であって、前記ランダムアクセス要求は前記２つのアクセスノードのうちの第１のアクセスノードのためのシグネチャシーケンスを含む送信機器と、前記２つのアクセスノードのうちの第２のアクセスノードからランダムアクセス応答を受信するように動作可能な受信機器であって、前記ランダムアクセス応答は、前記ＵＥと前記第２の無線アクセスノードとの間のさらなる通信のために用いられるＩＤを含む受信機器と、を含む。
【００６２】
一例では、前記受信機器は、前記第１の無線アクセスノードからランダムアクセス応答を受信するようにさらに動作可能であり、前記ランダムアクセス応答は前記ＵＥと前記第１の無線アクセスノードとの間のさらなる通信のために使用されるべきＩＤを含み、また前記ＵＥは、前記選択されたアクセスノードへの接続の確立を継続するために前記２つのアクセスノードのうちの１つを選択するように動作可能な選択機器をさらに含み、前記選択は前記第１の無線アクセスノードからの前記受信されたランダムアクセス応答に基づき、かつ前記第２の無線アクセスノードからの前記受信されたランダムアクセス応答に基づく。
【００６３】
第７の態様では、少なくとも１つのプロセッサ上で実行されると、少なくとも１つのプロセッサに、上記で開示された例のいずれかによる方法を実行させる命令を含む非一時的コンピュータ可読記憶媒体が提供される。
【００６４】
第８の態様では、ユーザ機器（ＵＥ）と無線アクセスネットワークとの間でランダムアクセス手順を実行するための第１の無線アクセスノードが提供され、前記無線アクセスネットワークは、前記第１の無線アクセスノードと第２の無線アクセスノードとを備え、前記２つのアクセスノードは異なるセットのシグネチャシーケンスを含み、前記シグネチャシーケンスは前記アクセスノードによって、異なるＵＥから到来する要求を区別するために使用される。
【００６５】
前記第１の無線アクセスノードは、前記ＵＥからランダムアクセス要求を受信するための受信モジュールであって、前記ランダムアクセス要求はシグネチャシーケンスを含む受信モジュールと、前記ランダムアクセス要求が、前記要求に含まれる前記シグネチャシーケンスに基づいて、前記第１の無線アクセスノードに向けられていることを判定するためのプロセスモジュールとを含み、前記受信モジュールは、前記第２の無線アクセスノードから前記ランダムアクセス要求を受信するためであり、それにより、前記第２の無線アクセスノードもまた、前記ランダムアクセス要求を前記ＵＥから受信したことを示す。前記第１の無線アクセスノードは、前記ＵＥからの前記受信されたランダムアクセス要求に基づいて、かつ前記第２の無線アクセスノードから受信された前記ランダムアクセス要求に基づいて、応答を送信するための送信モジュールをさらに備える。
【００６６】
第９の態様では、ユーザ機器（ＵＥ）と無線アクセスネットワークとの間でランダムアクセス手順を実行するための第２の無線アクセスノードが提供され、前記無線アクセスネットワークは、第１の無線アクセスノードと前記第２の無線アクセスノードとを備え、前記２つのアクセスノードは異なるセットのシグネチャシーケンスを含み、前記シグネチャシーケンスは前記アクセスノードによって、異なるＵＥから到来する要求を区別するために使用される。
【００６７】
前記第２の無線アクセスノードは、前記ＵＥからランダムアクセス要求を受信するための受信モジュールであって、前記ランダムアクセス要求はシグネチャシーケンスを含む受信モジュールと、前記ランダムアクセス要求が、前記要求に含まれる前記シグネチャシーケンスに基づいて、前記第１の無線アクセスノードに向けられていることを判定するためのプロセスモジュールと、前記第１の無線アクセスノードへと前記ランダムアクセス要求を送信するための送信モジュールであって、それにより、前記第２の無線アクセスノードもまた、前記ランダムアクセス要求を前記ＵＥから受信したことを示す送信モジュールとを含む。
【００６８】
第１０の態様では、ユーザ機器（ＵＥ）と無線アクセスネットワークとの間でランダムアクセス手順を実行するための前記ユーザ機器（ＵＥ）が提供され、前記無線アクセスネットワークは２つのアクセスノードを備え、前記２つのアクセスノードは異なるセットのシグネチャシーケンスを有し、前記シグネチャシーケンスは前記アクセスノードによって、異なるＵＥから到来する要求を区別するために使用される。
【００６９】
前記ＵＥは、前記ＵＥからのランダムアクセス要求を送信するための送信モジュールであって、前記ランダムアクセス要求は前記２つのアクセスノードのうちの第１のアクセスノードのためのシグネチャシーケンスを含む送信モジュールと、前記２つのアクセスノードのうちの第２のアクセスノードからランダムアクセス応答を受信するための受信モジュールであって、前記ランダムアクセス応答は、前記ＵＥと前記第２の無線アクセスノードとの間のさらなる通信のために用いられるＩＤを含む受信モジュールを含む。
【００７０】
本開示の上記および他の特徴および利点は、添付の図面を参照する以下の説明から最もよく理解されるのであろう。図において、同様の参照番号は、同一の部品または同等の機能または動作を実行する部品を示す。
【図面の簡単な説明】
【００７１】
【図１】図１は、本開示の基本的な態様を示す概略図である。
【図２】図２は、本開示の他の態様を示す概略図である。
【図３】図３は、本開示の更なる態様を示す概略図である。
【図４】図４は、本開示の更なる態様を示す概略図である。
【図５】図５は、第１の無線アクセスノードの実施形態を示す概略図である。
【図６】図６は、第２の無線アクセスノードの実施形態を示す概略図である。
【図７】図７は、ユーザ機器（ＵＥ）の実施形態を示す概略図である。
【図８】図８は、本開示の態様を示すシグナリング図である。
【発明を実施するための形態】
【００７２】
図１は、本開示の基本的な態様を示す概略図１である。本開示は、通信ネットワークにおいて設定される。
【００７３】
本発明によれば、通信ネットワークは、コアネットワーク並びに無線アクセスネットワークを含む。無線アクセスネットワークは、ユーザ機器ＵＥとの直接通信、およびＵＥをコアネットワークに接続する責任を負う。そうするために、無線アクセスネットワークは複数の無線アクセスノード、すなわち、第１の無線アクセスノード２および第２の無線アクセスノード３を備える。
【００７４】
アクセスノード２、３は、ＬＴＥネットワーク内の発展型ノードＢ（ｅＮＢ）、またはＵＭＴＳネットワーク内のノードＢ、または第５世代新無線ネットワーク内のｇＮｏｄｅＢとすることができる。集中無線アクセスネットワークの場合、無線アクセスノード２、３は、遠隔無線ヘッドベースバンドユニットと呼ばれる無線機能ユニットと、ベースバンドユニットと呼ばれるプロセッサ機能との組み合わせであってもよい。アクセスノードの機能の他の分割も可能である。
【００７５】
図１に示されるチャート１は、ＵＥ６と無線アクセスネットワークとの間、より具体的にはＵＥ６と第１の無線アクセスノード２および第２の無線アクセスノード３のうちの少なくとも１つとの間でランダムアクセス手順を実行する方法を開示する。ここで、２つの無線アクセスノード２、３は異なるセットのシグネチャシーケンスを含み、シグネチャシーケンスは異なるＵＥから到来する要求を区別するために使用される。
【００７６】
ランダムアクセス手順は、通常は例えばロングタームエボリューション（ＬＴＥ）ネットワークのメディアアクセス制御（ＭＡＣ）層で行われる。このようなランダムアクセス手順は、無線リソース制御（ＲＲＣ）層で発生する接続確立手順を完了するために実行され、アイドル状態から接続状態に変化させる。ランダムアクセス手順の他の使用も同様に可能であり、本開示によってカバーされる。
【００７７】
第１の無線アクセスノード２は参照番号４で示されるカバレージエリアを有し、第２の無線アクセスノード３は、参照番号５で示されるカバレージエリアを有する。ＵＥ６は両方の無線アクセスノード２、３によってカバーされるように、すなわち、第１の無線アクセスノード２のカバレージエリア４内にあり、第２の無線アクセスノード３のカバレージエリア５内にあるように配置される。したがって、任意の送信、すなわち、ＵＥ６によって送信された任意のメッセージは、第１の無線アクセスノード２および第２の無線アクセスノード３によって受信され得る。
【００７８】
第１のステップにおいて、ＵＥ６はランダムアクセス要求を第１の無線アクセスノードに向けて送信し（９）、ランダムアクセス要求は第１の無線アクセスノード２に宛てられたシグネチャシーケンスを含む。第１の無線アクセスノード２は、ランダムアクセス要求を受信する（９）。しかし、本図に示すように、ＵＥ６によって送信された同じランダムアクセス要求が、第２の無線アクセスノード３によっても受信される。これは参照番号１２で示されている。
【００７９】
第１の無線アクセスノード２は、要求に含まれるシグネチャシーケンス、例えば、ＲＡＣＨプリアンブルに基づいて、それが要求のための意図された受信者であったことを判定することができる。すなわち、各無線アクセスノードは、要求におけるシーケンスの区別に基づいて、無線アクセスノード２、３のどちらが要求のための意図された受信者であるかを判定することができるように、シグネチャシーケンスのそれ自体の固有のセットを有する。
【００８０】
通常は、従来技術の状況では、無線アクセスノードがランダムアクセス応答でＵＥ６に応答する。しかし、特定の状況では、第１の無線アクセスノード２が第２の無線アクセスノード３から無線アクセス要求を受信し（７）、それによって、第２の無線アクセスノード３もＵＥ６からランダムアクセス要求を受信したことを示す。このランダムアクセス要求は、ランダムアクセス要求の圧縮バージョン、類似バージョン、または翻訳バージョンであってもよい。
【００８１】
重要な側面は、第１の無線アクセスノード２が、第２の無線アクセスノード３も同じランダムアクセス要求をＵＥ６から受信したことが判定できることである
最後に、ＵＥ６から受信したランダムアクセス要求に基づき、かつ第２の無線アクセスノード３から受信したランダムアクセス要求に基づき、第１の無線アクセスノード２は、応答１０、１１を送ることができる。
【００８２】
応答１０、１１はＵＥに送信された（１０）ランダムアクセス応答とすることができ、ここで、ランダムアクセス応答は、ＵＥ６と第１の無線アクセスノード２との間のさらなる通信のために使用されるべきＩＤを含む。応答１０、１１はまた、ランダムアクセス要求に基づいてＵＥ６に応答するように第２の無線アクセスノード３に要求する、第２の無線アクセスノード３に送信される（１１）要求であり得る。
【００８３】
第２の無線アクセスノード３に送信される（１１）応答は、例えば、第２の無線アクセスノード３がランダムアクセス要求に応答する必要がないことを示す応答であってもよい。これは、第１の無線アクセスノード２がＵＥ６自体に直接応答することを意味する。上述したように、送信された（１１）応答は、ランダムアクセス応答をＵＥ６に送信するように第２の無線アクセスノード３に要求する要求を形成することもできる。この状況では、応答が、通信ネットワークにおけるＵＥ６の処理に関する追加情報をさらに含むことができる。第１の無線アクセスノード２は例えば、ＵＥ６に関する情報を第２の無線アクセスノード３に開示することができ、それによって、ランダムアクセス手順を実行する際に第２の無線アクセスノード３を支援する。
【００８４】
本開示によれば、シグネチャシーケンスは、ロングタームエボリューション（ＬＴＥ）に従うランダムアクセスチャネル（ＲＡＣＨ）プリアンブルであってもよい。ＬＴＥで利用可能なＲＡＣＨプリアンブルの総数は６４である。これらのプリアンブルは例えば、初期アクセスおよびハンドオーバのためにＵＥ間で共有される。ＬＴＥネットワークへのアクセスは、アクセスのためのプリアンブルの予約の有無に基づいて分類することができる。ＵＥがシステムにアクセスするために予約されたシグネチャを有する場合、ＵＥは、無競合ランダムアクセス（ＣＦＲＡ）を使用していると言われる。反対に、ユーザがアクセスのために予約されたシグネチャを持たない場合、ユーザは、競合ベースのランダムアクセスを使用すると言われる。ＣＦＲＡは、通常、ハンドオーバ中に使用される。６４個のプリアンブルのうちのいくつかは、通常、ハンドオーバのためだけに予約される。６４個のプリアンブルは無線アクセスノード、すなわちｅＮｏｄｅＢによってＵＥに暗黙的に通信されるのではなく、むしろ、ＵＥはSIB２でブロードキャストされたパラメータを介して、それらをどのように生成するかのプロセスについて通知される。図２は、本開示の別の態様を示す概略図１０１である。図において、同じまたは類似の機能を有する特徴は、同じ参照番号を使用して参照されることに留意されたい。
【００８５】
図２に示される状況は、第１の無線アクセスノード２がＵＥ６自体に応答を送信しないことを決定するという点で、図１の状況とは異なる。第１の無線アクセスノード２は第２の無線アクセスノード３がランダムアクセス要求を取り込むことを決定する、すなわち、第１の無線アクセスノード２は、第２の無線アクセスノード３にランダムアクセス応答でＵＥ６に応答する（１０３）ように要求する要求を第２の無線アクセスノードに送信する（１０２）。
【００８６】
第１の無線アクセスノード２が応答自体をＵＥ６に送信しないという決定は、ランダムアクセス要求の受信電力、受信したランダムアクセス要求の信号対雑音比（ＳＮＲ）、第１の無線アクセスノード２の容量占有率等に基づいて行うことができる。
【００８７】
第２の無線アクセスノード３がランダムアクセス応答でＵＥ６に応答する（１０３）と、プロセスは、ＵＥ６を通信ネットワークに接続することを続けることができる。ここで、プロセスは、ＵＥ６が最初に意図された第１の無線アクセスノード２の代わりに、第２の無線アクセスノード３に接続することで続行する。
【００８８】
提示された方法は、従来技術に対していくつかの利点を提供する。例えば、アクセスノード間で同じプリアンブルシーケンスを共有することなく、ランダムアクセスのダイバーシティの可能性を生み出す。さらに、無線アクセスネットワークにおいて情報を共有するとき、またはランダムアクセス応答を実行するときに、無線アクセスネットワークが、ＵＥがどのアクセスノードに向けてランダムアクセスを実行することを意図したかを理解し、これに基づいて異なる規則を適用することができる可能性を無線アクセスネットワークに生じさせる。
【００８９】
図３は、本開示の更なる態様を示す概略図２０１である。
【００９０】
図３に示される状況は、両方の無線アクセスノード２、３がＵＥ６にランダムアクセス応答を送信するという点で、図１および図２の状況とは異なる。
【００９１】
すなわち、第１の無線アクセスノード２は、第２の無線アクセスノード３もＵＥ６からランダムアクセス要求を受信したことを知ることさえできない。したがって、第１の無線アクセスノード２は、従来技術の状況と同様にランダムアクセス応答を送信する（２０２）。しかし、第２の無線アクセスノード３はまた、ＵＥ６にランダムアクセス応答を送信する（２０３）。
【００９２】
この特定の状況では、ＵＥ６が２つの応答を受信する。すなわち、第１の無線アクセスノード２からの応答と、第２の無線アクセスノード３からの応答である。ＵＥ６がどの無線アクセスノード２、３を使用すべきかの決定は、ＵＥ６自身次第である。この決定は例えば、第１の無線アクセスノード２および第２の無線アクセスノード３から受信したランダムアクセス応答の受信電力に基づいてよい。
【００９３】
第２の無線アクセスノード３は、ランダムアクセス要求がＵＥ６から受信される電力、第２の無線アクセスノード３に関する事前定義された規則、および／または第１の無線アクセスノード２に関する事前定義された規則のいずれかに基づいて、ＵＥ６にランダムアクセス応答を送信する（２０３）ことを決定できたことに留意すべきである。
【００９４】
図４は、本開示の更なる態様を示す概略図３０１である。
【００９５】
この図３０１は、異なるＵＥから第１の無線アクセスノード２に到来する要求を区別するために、第１の無線アクセスノード２によって使用されるシグネチャシーケンスの第１のセットを、第１の無線アクセスノード２が第２の無線アクセスノード３に送信する具体的な例を示している。
【００９６】
さらに、第２の無線アクセスノード３は、異なるＵＥから第２の無線アクセスノード３に到来する要求を区別するために第２の無線アクセスノード３によって使用されるシグネチャシーケンスの第２のセットも第１の無線アクセスノード２に送信する（３０２）ことが示されている。
【００９７】
上述の例は、無線アクセスノード２、３が、どの無線アクセスノードがＵＥ６から受信されたランダムアクセス要求のための意図された受信者であったかを判定することを可能にする。
【００９８】
図５は、第１の無線アクセスノード４０５の実施形態を示す概略図４０１である。
【００９９】
第１の無線アクセスノード４０１が、ユーザ機器（ＵＥ）と無線アクセスネットワークとの間でランダムアクセス手順を実行するように動作可能であり、前記無線アクセスネットワークは、前記第１の無線アクセスノード４０１と第２の無線アクセスノードとを備え、前記２つのアクセスノードは異なるセットのシグネチャシーケンスを含み、前記シグネチャシーケンスは前記アクセスノードによって、異なるＵＥから到来する要求を区別するために使用される。
【０１００】
第１の無線アクセスノード４０１は前記ＵＥからランダムアクセス要求を受信するように動作可能な受信機器４０４を備え、前記ランダムアクセス要求はシグネチャシーケンスを含む。さらに、前記要求に含まれる前記シグネチャシーケンスに基づいて、前記ランダムアクセス要求が前記第１の無線アクセスノードに向けられていることを判定するように動作可能なプロセス機器４０２が提供される。
【０１０１】
受信機器４０４は、前記第２の無線アクセスノードから前記ランダムアクセス要求を受信するようにさらに動作可能であり、それによって、前記第２の無線アクセスノードも前記ＵＥから前記ランダムアクセス要求を受信したことを示す。
【０１０２】
第１の無線アクセスノード４０５は、前記ＵＥからの前記受信されたランダムアクセス要求に基づいて、かつ前記第２の無線アクセスノードから受信された前記ランダムアクセス要求に基づいて、応答を送信するように動作可能な送信機器４０６をさらに備える。
【０１０３】
ここで、入力データパケットまたはメッセージは受信機器４０４または受信モジュールに到達する前に、入力端末４０３を通過する。
【０１０４】
出力データパケットまたはメッセージは、出力端子４０７を介して、送信機器４０６または送信モジュールを通過するか、または送信機器４０６または送信モジュールによって送信される。
【０１０５】
第１の無線アクセスノード４０５は、制御部４０８およびメモリ４０９をさらに備え、制御部４０８はバス接続などを介して、受信機器４０４、送信機器４０６、およびプロセス機器４０２に接続される。
【０１０６】
したがって、一例では、本開示は、ユーザ機器（ＵＥ）と無線アクセスネットワークとの間でランダムアクセス手順を実行するように動作可能な第１の無線アクセスノードを対象とし、前記無線アクセスネットワークは、前記第１の無線アクセスノードと第２の無線アクセスノードとを備え、前記２つのアクセスノードは異なるセットのシグネチャシーケンスを含み、前記シグネチャシーケンスは前記アクセスノードによって、異なるＵＥから到来する要求を区別するために使用され、前記第１の無線アクセスノードは、
前記ＵＥからランダムアクセス要求を受信する受信モジュールであって、前記ランダムアクセス要求はシグネチャシーケンスを含む受信モジュールと、
前記要求に含まれる前記シグネチャシーケンスに基づいて、前記ランダムアクセス要求が前記第１の無線アクセスノードに向けられていることを判定するプロセスモジュールとを備え、
前記受信モジュールは、前記第２の無線アクセスノードから前記ランダムアクセス要求をさらに受信し、それによって、前記第２の無線アクセスノードも前記ＵＥから前記ランダムアクセス要求を受信したことを示し、
前記第１の無線アクセスノードはさらに、
前記ＵＥからの前記受信されたランダムアクセス要求に基づいて、かつ前記第２の無線アクセスノードから受信された前記ランダムアクセス要求に基づいて、応答を送信する送信モジュールをさらに備える。
【０１０７】
図６は、第２の無線アクセスノード５０５の実施形態を示す概略図５０１である。
【０１０８】
第２の無線アクセスノード５０５が、ユーザ機器（ＵＥ）と無線アクセスネットワークとの間でランダムアクセス手順を実行するように動作可能であり、前記無線アクセスネットワークは、第１の無線アクセスノードと前記第２の無線アクセスノード５０５とを備え、前記２つのアクセスノードは異なるセットのシグネチャシーケンスを含み、前記シグネチャシーケンスは前記アクセスノードによって、異なるＵＥから到来する要求を区別するために使用される。
【０１０９】
第２の無線アクセスノード５０５は、前記ＵＥからランダムアクセス要求を受信するように動作可能な受信機器５０４であって、前記ランダムアクセス要求はシグネチャシーケンスを含む受信機器５０４と、前記ランダムアクセス要求が、前記要求に含まれる前記シグネチャシーケンスに基づいて、前記第１の無線アクセスノード５０５に向けられていることを判定するように動作可能なプロセス機器５０２と、前記第１の無線アクセスノードに前記ランダムアクセス要求を送信するように動作可能な送信機器５０６であって、それにより、前記第２の無線アクセスノード５０５もまた前記ランダムアクセス要求を前記ＵＥから受信したことを示す送信機器５０６を含む。
【０１１０】
ここで、入力データパケットまたはメッセージは受信機器５０４または受信モジュールに到達する前に、入力端末５０３を通過する。出力データパケットまたはメッセージは、出力端子５０７を介して、送信機器５０６または送信モジュールを通過するか、または送信機器４０６または送信モジュールによって送信される。
【０１１１】
第１の無線アクセスノード５０５は、制御部５０８およびメモリ５０９をさらに備え、制御部５０８はバス接続などを介して、受信機器５０４、送信機器５０６、およびプロセス機器５０２に接続される。
【０１１２】
一例では、本開示は、ユーザ機器（ＵＥ）と無線アクセスネットワークとの間でランダムアクセス手順を実行するように動作可能な第２の無線アクセスノードを対象とし、前記無線アクセスネットワークは、第１の無線アクセスノードと前記第２の無線アクセスノードとを備え、前記２つのアクセスノードは異なるセットのシグネチャシーケンスを含み、前記シグネチャシーケンスは前記アクセスノードによって、異なるＵＥから到来する要求を区別するために使用され、前記第２の無線アクセスノードは、
前記ＵＥからランダムアクセス要求を受信する受信モジュールであって、前記ランダムアクセス要求はシグネチャシーケンスを含む受信モジュールと、
前記要求に含まれる前記シグネチャシーケンスに基づいて、前記ランダムアクセス要求が前記第１の無線アクセスノードに向けられていることを判定するプロセスモジュールと、
前記第１の無線アクセスノードへと前記ランダムアクセス要求を送信する送信モジュールであって、それによって、前記第２の無線アクセスノードも前記ＵＥから前記ランダムアクセス要求を受信したことを示す送信モジュールと、を備える。
【０１１３】
図７は、ユーザ機器（ＵＥ）６０４の実施形態を示す概略図６０１である。
【０１１４】
ユーザ機器６０４は、ユーザ機器（ＵＥ）６０４と無線アクセスネットワークとの間でランダムアクセス手順を実行するように動作可能であり、前記無線アクセスネットワークは２つのアクセスノードを備え、前記２つのアクセスノードは異なるセットのシグネチャシーケンスを有し、前記シグネチャシーケンスは前記アクセスノードによって、異なるＵＥから到来する要求を区別するために使用される。
【０１１５】
前記ＵＥ６０４は、前記ＵＥ６０４からのランダムアクセス要求を送信するように動作可能な送信機器６０５であって、前記ランダムアクセス要求は前記２つのアクセスノードのうちの第１のアクセスノードのためのシグネチャシーケンスを含む送信機器と、前記２つのアクセスノードのうちの第２のアクセスノードからランダムアクセス応答を受信するように動作可能な受信機器６０３であって、前記ランダムアクセス応答は、前記ＵＥと前記第２の無線アクセスノードとの間のさらなる通信のために用いられるＩＤを含む受信機器と、を含む。
【０１１６】
一例では、本開示は、ユーザ機器（ＵＥ）と無線アクセスネットワークとの間でランダムアクセス手順を実行するように動作可能な前記ユーザ機器を対象とし、前記無線アクセスネットワークは２つのアクセスノードを備え、前記２つのアクセスノードは異なるセットのシグネチャシーケンスを有し、前記シグネチャシーケンスは前記アクセスノードによって、異なるＵＥから到来する要求を区別するために使用され、前記ＵＥは、
−  前記ＵＥからランダムアクセス要求を送信する送信モジュールであって、前記ランダムアクセス要求は、前記２つのアクセスノードのうちの第１のアクセスノードのためのシグネチャシーケンスを含む送信モジュールと、
前記２つのアクセスノードのうちの第２のアクセスノードからランダムアクセス応答を受信するための受信モジュールであって、前記ランダムアクセス応答は、前記ＵＥと前記第２の無線アクセスノードとの間のさらなる通信のために使用されるＩＤを含む、受信モジュールと、を備える。
【０１１７】
図８は、本開示の態様を示すシグナリング図７０１である。
【０１１８】
シグナリング図７０１は、図２に付随する本文に記載されているように、ＵＥ６と、第１の無線アクセスノード２と、無線アクセスノード３との間のシグナリングを示している。
【０１１９】
ここで、ランダムアクセス要求は、第１の無線アクセスノード２によって受信され（９）、第２の無線アクセスノード３によって受信される（１２）。参照番号９および１２で示される矢印は、２つの無線アクセスノード２、３によって受信される同じメッセージであることを示すために、互いの延長に描かれている。
【０１２０】
この特定の状況では、第１の無線アクセスノード２は第２の無線アクセスノード３がランダムアクセス要求を取り込むことを決定する、すなわち、第１の無線アクセスノード２は、第２の無線アクセスノード３にランダムアクセス応答でＵＥ６に応答する（１０３）ように要求する要求を第２の無線アクセスノードに送信する（１０２）。
【０１２１】
第１の無線アクセスノード２が応答自体をＵＥ６に送信しないという決定は例えば、ランダムアクセス要求の受信電力、受信したランダムアクセス要求の信号対雑音比（SNR）、第１の無線アクセスノード２の容量占有率等に基づいている。例えば、受信されたランダムアクセス要求のＳＮＲが所定の閾値未満である場合、第１の無線アクセスノード２は、要求を取り上げず、ＵＥ６に応答を送出するように第２の無線アクセスノードに要求することを決定することができる。
【０１２２】
前述のように、第１の無線アクセスノード２は、ＵＥ６自体からの要求に応答するかどうか、またはＵＥ６からの要求に応答するように第２の無線アクセスノード３に要求するかどうかを決定することができる。この決定は、その特定のＵＥ６の記録された、または既知の位置挙動に基づいて行うこともできる。すなわち、例えば、ＵＥ６が通常、第２の無線アクセスノード３によってサービスされることが知られている場合、第２の無線アクセスノード３に、ＵＥ６からの現在の要求も受けるように要求することが賢明であり得る。これは、例えば、ＵＥ６が通常は第２の無線アクセスノード３のカバレージエリア内にあることを示すことができる。したがって、ＵＥ６は、無線アクセスノード２、３両方の「重複するカバレージエリア」から、第２の無線アクセスノード３によってのみカバーされる位置に再び戻る可能性が高いと考えられる。これにより、第１の無線アクセスノード２と第２の無線アクセスノード３との間で追加のハンドオーバが実行されることが防止される。
【０１２３】
本開示の利点の１つは、ＵＥ６が、より信頼性が高いように取り扱われることである。すなわち、ＵＥ６は、第１の無線アクセスノード２がＵＥ６にサービスすることができないか、または適切にサービスすることができない状況においても、依然として適切にサービスされる。そのような状況では、第２の無線アクセスノード３がＵＥ６を引き継ぎ、ＵＥ６にサービス提供することができる。
【０１２４】
別の利点は、第２の無線アクセスノード３から第１の無線アクセスノード２によって受信されたランダムアクセス要求が、ＵＥ６から直接同じ要求を正しく受信するのを支援することができることである。第２の無線アクセスノード３から受信された要求は例えば、冗長検査または障害修復コードとして機能することができる。これは、第１の無線アクセスノード２が要求を正しく受信することができる可能性を改善し、その結果、ＵＥ６が適切にサービスされる可能性を改善する。
【０１２５】
開示された実施形態に対する他の変形は、図面、開示、および添付の特許請求の範囲の検討から、特許請求された発明を実施する当業者によって理解され、達成され得る。特許請求の範囲において、「含む」という用語は他の要素又はステップを除外するものではなく、不定冠詞「ａ」又は「ａｎ」は複数を除外するものではない。単一のプロセッサまたは他のユニットは、特許請求の範囲に列挙されるいくつかの項目の機能を満たすことができる。特定の手段が相互に異なる従属請求項に記載されているという単なる事実は、これらの手段の組み合わせが有利に使用されることができないことを示すものではない。コンピュータプログラムは、他のハードウェアと一緒に、またはその一部として供給される光記憶媒体または固体媒体などの適切な媒体上に格納／配布することができるが、インターネットまたは他の有線もしくは無線電気通信システムを介するなど、他の形態で配布することもできる。特許請求の範囲におけるいかなる参照符号も、その範囲を限定するものとして解釈されるべきではない。
【０１２６】
本開示は上記で開示された実施形態に限定されず、本発明の技能を適用する必要なしに、添付の特許請求の範囲に開示された本開示の範囲を超えて、当業者によって修正および強化され得る。
【図１】
2019537336.tif 000003
【図２】
2019537336.tif 000004
【図３】
2019537336.tif 000005
【図４】
2019537336.tif 000006
【図５】
2019537336.tif 000007
【図６】
2019537336.tif 000008
【図７】
2019537336.tif 000009
【図８】
2019537336.tif 000010
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）（６）と無線アクセスネットワークとの間でランダムアクセス手順を実行するための方法であって、前記無線アクセスネットワークは２つの無線アクセスノード（２，３）を備え、前記２つの無線アクセスノード（２，３）は異なるセットのシグネチャシーケンスを有し、前記シグネチャシーケンスは前記無線アクセスノード（２，３）によって、異なるＵＥから到来する要求を区別するために使用され、前記方法は、
前記２つの無線アクセスノードのうちの第１の無線アクセスノード（２）により、前記ＵＥ（６）からランダムアクセス要求を受信するステップ（９）であって、前記ランダムアクセス要求はシグネチャシーケンスを含むステップと、
前記第１の無線アクセスノード（２）により、前記要求に含まれる前記シグネチャシーケンスに基づいて、前記ランダムアクセス要求が前記第１の無線アクセスノード（２）に向けられていることを判定するステップ（８）と、
前記第１の無線アクセスノード（２）により、前記２つの無線アクセスノードのうちの第２の無線アクセスノード（３）から前記ランダムアクセス要求を受信するステップ（７）であって、それによって、前記第２の無線アクセスノード（３）も前記ＵＥ（６）から前記ランダムアクセス要求を受信したことを示すステップと、
前記第１の無線アクセスノード（２）により、前記ＵＥ（６）からの前記受信されたランダムアクセス要求に基づいて、かつ前記第２の無線アクセスノード（３）から受信された前記ランダムアクセス要求に基づいて、応答を送信するステップ（１０，１１，１０２）と、
を有する方法。
【請求項２】
請求項１に記載の方法であって、前記応答を送信するステップは、
前記ＵＥにランダムアクセス応答を送信すること（１０）であって、前記ランダムアクセス応答は、前記ＵＥと前記第１の無線アクセスノードとの間のさらなる通信のために使用されるＩＤを含むことと、
前記ランダムアクセス要求に基づいて前記ＵＥ（６）に応答するように前記第２の無線アクセスノードに要求する要求を前記第２の無線アクセスノード（３）に送信すること（１０２）と、
のうちの１つを含む方法。
【請求項３】
請求項１または２に記載の方法であって、前記方法はさらに、
前記第１の無線アクセスノード（２）により、異なるＵＥから前記第１の無線アクセスノード（２）に到来する要求を区別するために、前記第１の無線アクセスノードによって使用されるシグネチャシーケンスの第１のセットを前記第２の無線アクセスノード（３）に送信するステップ（３０２）と、
前記第１の無線アクセスノード（２）により、異なるＵＥから前記第２の無線アクセスノード（３）に到来する要求を区別するために、前記第２の無線アクセスノードによって使用されるシグネチャシーケンスの第２のセットを前記第２の無線アクセスノード（３）から受信するステップ（３０３）と、
のうちの少なくともひとつを含む方法。
【請求項４】
ユーザ機器（ＵＥ）（６）と無線アクセスネットワークとの間でランダムアクセス手順を実行するための方法であって、前記無線アクセスネットワークは２つの無線アクセスノード（２，３）を備え、前記２つの無線アクセスノードは異なるセットのシグネチャシーケンスを有し、前記シグネチャシーケンスは前記無線アクセスノードによって、異なるＵＥから来る要求を区別するために使用され、前記方法は、
前記２つの無線アクセスノードのうちの第２の無線アクセスノード（３）により、前記ＵＥ（６）からランダムアクセス要求を受信するステップ（１２）であって、前記ランダムアクセス要求はシグネチャシーケンスを含むステップと、
前記第２の無線アクセスノード（３）により、前記要求に含まれる前記シグネチャシーケンスに基づいて、前記ランダムアクセス要求が前記２つの無線アクセスノードのうちの第１の無線アクセスノード（２）に向けられていることを判定するステップと、
前記第２の無線アクセスノード（３）により、前記第１の無線アクセスノード（２）へと前記ランダムアクセス要求を送信するステップ（７）であって、それによって、前記第２の無線アクセスノード（３）も前記ＵＥ（６）から前記ランダムアクセス要求を受信したことを示すステップと、
を有する方法。
【請求項５】
請求項４に記載の方法であって、前記方法はさらに、
前記第２の無線アクセスノード（３）により、前記第１の無線アクセスノード（２）から、前記ランダムアクセス要求に基づいて前記ＵＥ（６）に応答するよう前記第２の無線アクセスノードに要求する要求を受信するステップ（１０２）と、
前記第２の無線アクセスノード（３）により、ランダムアクセス応答（１０３）を前記ＵＥ(６）に送信するステップであって、前記ランダムアクセス応答は、前記ＵＥ（６）と前記第２の無線アクセスノード（３）との間の更なる通信に使用されるＩＤを含むステップと、
を有する方法。
【請求項６】
請求項４または５に記載の方法であって、前記方法はさらに、
前記第２の無線アクセスノード（３）により、異なるＵＥから前記第２の無線アクセスノード（３）に到来する要求を区別するために、前記第２の無線アクセスノードによって使用されるシグネチャシーケンスの第２のセットを前記第１の無線アクセスノード（２）へと送信するステップ（３０３）と、
前記第２の無線アクセスノード（３）により、異なるＵＥから前記第１の無線アクセスノード（２）に到来する要求を区別するために、前記第１の無線アクセスノードによって使用されるシグネチャシーケンスの第１のセットを前記第１の無線アクセスノード（２）から受信するステップ（３０２）と、
のうちの少なくともひとつを含む方法。
【請求項７】
請求項４または６に記載の方法であって、前記方法はさらに、
前記第２の無線アクセスノード（３）により、前記ＵＥ（６）にランダムアクセス応答を送信することを決定するステップであって、前記決定は、
前記ランダムアクセス要求が前記ＵＥから受信される電力と、
前記第２の無線アクセスノードに関する所定の規則と、前記第１の無線アクセスノードに関する所定の規則と、
のうちの少なくとも１つに基づくステップと、
前記第２の無線アクセスノード（３）により、前記ＵＥ（６）にランダムアクセス応答を送信するステップ（２０３）であって、前記ランダムアクセス応答は、前記ＵＥ(６）と前記第２の無線アクセスノード（３）との間のさらなる通信のために使用されるＩＤを含むステップと、
をさらに含む方法。
【請求項８】
ユーザ機器（ＵＥ）（６）と無線アクセスネットワークとの間でランダムアクセス手順を実行するための方法であって、前記無線アクセスネットワークは２つの無線アクセスノード（２，３）を備え、前記２つの無線アクセスノードは異なるセットのシグネチャシーケンスを有し、前記シグネチャシーケンスは前記無線アクセスノードによって、異なるＵＥから到来する要求を区別するために使用され、前記方法は、
前記ＵＥにより、前記ＵＥからランダムアクセス要求を送信するステップであって、前記ランダムアクセス要求は、前記２つの無線アクセスノードのうちの第１の無線アクセスノード（２）のためのシグネチャシーケンスを含むステップ（９）と、
前記ＵＥにより、前記２つの無線アクセスノードのうちの第２の無線アクセスノード（３）からランダムアクセス応答を受信するステップ（１０３，２０３）であって、前記ランダムアクセス応答は、前記ＵＥ（６）と前記第２の無線アクセスノード（３）との間のさらなる通信のために使用されるＩＤを含むステップと、
を含む方法。
【請求項９】
請求項８に記載の方法であって、前記方法はさらに、
前記ＵＥにより、前記第１の無線アクセスノードからランダムアクセス応答を受信するステップであって、前記ランダムアクセス応答は、前記ＵＥと前記第１の無線アクセスノードとの間のさらなる通信のために使用されるＩＤを含むステップ（２０２）と、
前記ＵＥにより、選択された無線アクセスノードへの接続の確立を継続するために前記２つの無線アクセスノード（２、３）のうちの１つを選択するステップであって、前記選択は、前記第１の無線アクセスノードからの前記受信されたランダムアクセス応答に基づき、かつ前記第２の無線アクセスノードからの前記受信されたランダムアクセス応答に基づくステップと、
をさらに含む方法。
【請求項１０】
請求項９に記載の方法であって、前記２つの無線アクセスノードのうちの１つを選択するステップは、
前記第１および前記第２の無線アクセスノードからの前記受信されたランダムアクセス応答の受信電力に基づいて、前記２つの無線アクセスノード（２、３）のうちの１つを選択することを含む方法。
【請求項１１】
ユーザ機器（ＵＥ）（６）と無線アクセスネットワークとの間でランダムアクセス手順を実行するように動作可能な第１の無線アクセスノード（２）であって、前記無線アクセスネットワークは、前記第１の無線アクセスノード（２）と第２の無線アクセスノード（３）とを備え、前記２つの無線アクセスノードは異なるセットのシグネチャシーケンスを含み、前記シグネチャシーケンスは前記無線アクセスノードによって、異なるＵＥから到来する要求を区別するために使用され、前記第１の無線アクセスノードは、
前記ＵＥからランダムアクセス要求を受信するように動作可能な受信機器（４０４）であって、前記ランダムアクセス要求はシグネチャシーケンスを含む受信機器と、
前記要求に含まれる前記シグネチャシーケンスに基づいて、前記ランダムアクセス要求が前記第１の無線アクセスノードに向けられていることを判定するように動作可能なプロセス機器（４０２）と、
を備え、
前記受信機器（４０４）は、前記第２の無線アクセスノードから前記ランダムアクセス要求を受信するようにさらに動作可能であり、それによって、前記第２の無線アクセスノードも前記ＵＥから前記ランダムアクセス要求を受信したことを示し、
前記第１の無線アクセスノードはさらに、
前記ＵＥからの前記受信されたランダムアクセス要求に基づいて、かつ前記第２の無線アクセスノードから受信された前記ランダムアクセス要求に基づいて、応答を送信するように動作可能な送信機器（４０６）
を備える第１の無線アクセスノード。
【請求項１２】
請求項１１に記載の第１の無線アクセスノードであって、前記送信機器（４０６）はさらに、
前記ＵＥにランダムアクセス応答を送信し、前記ランダムアクセス応答は、前記ＵＥと前記第１の無線アクセスノードとの間のさらなる通信のために使用されるＩＤを含み、かつ／または
前記ランダムアクセス要求に基づいて前記ＵＥに応答するように前記第２の無線アクセスノードに要求する要求を前記無線アクセスノードに送信する、
第１の無線アクセスノード。
【請求項１３】
請求項１１または１２に記載の第１の無線アクセスノード（２）であって、前記送信機器（４０６）は、異なるＵＥから前記第１の無線アクセスノード（２）に到来する要求を区別するために前記第１の無線アクセスノード（２）によって使用されるシグネチャシーケンスの第１のセットを前記第２の無線アクセスノード（３）に送信するようにさらに動作可能であり、かつ／または前記受信機器（４０４）は、異なるＵＥから前記第２の無線アクセスノード（３）に到来する要求を区別するために前記第２の無線アクセスノード（３）によって使用されるシグネチャシーケンスの第２のセットを前記第２の無線アクセスノード（３）から受信するようにさらに動作可能である、第１の無線アクセスノード。
【請求項１４】
ユーザ機器ＵＥ（６）と無線アクセスネットワークとの間のランダムアクセス手順を実行するように動作可能な第２の無線アクセスノード（３）であって、
前記無線アクセスネットワークは、第１の無線アクセスノード（２）と前記第２の無線アクセスノード（３）とを含み、前記２つの無線アクセスノード（２，３）は、シグネチャシーケンスの異なるセットを含み、前記シグネチャシーケンスは、前記無線アクセスノードによって、異なるＵＥから到来する要求を区別するために使用され、前記第２の無線アクセスノードは、
前記ＵＥからランダムアクセス要求を受信するように動作可能な受信機器（５０４）であって、前記ランダムアクセス要求はシグネチャシーケンスを含む受信機器と、
前記要求に含まれる前記シグネチャシーケンスに基づいて、前記ランダムアクセス要求が前記第１の無線アクセスノードに向けられていることを判定するように動作可能なプロセス機器（５０２）と、
前記第１の無線アクセスノードへ前記ランダムアクセス要求を送信するように動作可能な送信機器であって、それによって、前記第２の無線アクセスノードも前記ＵＥから前記ランダムアクセス要求を受信したことを示す送信機器（５０６）と、
を備える第２の無線アクセスノード。
【請求項１５】
請求項１４に記載の第２の無線アクセスノードであって、前記受信機器（５０４）は、前記第１の無線アクセスノードから、前記ランダムアクセス要求に基づいて前記ＵＥに応答するように前記第２の無線アクセスノードに要求する要求を受信するようにさらに動作可能であり、前記送信機器は、前記ＵＥにランダムアクセス応答を送信するようにさらに動作可能であって、前記ランダムアクセス応答は前記ＵＥと前記第２の無線アクセスノードとの間のさらなる通信のために使用されるＩＤを含む、第２の無線アクセスノード。
【請求項１６】
請求項１４または１５に記載の第２の無線アクセスノードであって、前記送信機器（５０６）は、異なるＵＥから前記第２の無線アクセスノードに到来する要求を区別するために前記第２の無線アクセスノードによって使用されるシグネチャシーケンスの第２のセットを前記第１の無線アクセスノードに送信するようにさらに動作可能であり、かつ／または前記受信機器は、異なるＵＥから前記第１の無線アクセスノードに到来する要求を区別するために前記第１の無線アクセスノードによって使用されるシグネチャシーケンスの第１のセットを前記第１の無線アクセスノードから受信するようにさらに動作可能である、第２の無線アクセスノード。
【請求項１７】
請求項１４または１６に記載の第２の無線アクセスノード（３）であって、前記プロセス機器（５０２）は、前記ＵＥ(６）にランダムアクセス応答を送信することを決定するようにさらに動作可能であり、前記決定は、
前記ランダムアクセス要求が前記ＵＥから受信される電力と、
前記第２の無線アクセスノードに関する所定の規則と、前記第１の無線アクセスノードに関する所定の規則と、
のうちの少なくとも１つに基づき、
前記第２の無線アクセスノードにより、前記ＵＥにランダムアクセス応答を送信し、前記ランダムアクセス応答は、前記ＵＥと前記第２の無線アクセスノードとの間のさらなる通信のために使用されるＩＤを含む、
第２の無線アクセスノード。
【請求項１８】
ユーザ機器（ＵＥ）と無線アクセスネットワークとの間でランダムアクセス手順を実行するように動作可能なユーザ機器（６，６０１）であって、前記無線アクセスネットワークは２つの無線アクセスノードを備え、前記２つの無線アクセスノードは異なるセットのシグネチャシーケンスを有し、前記シグネチャシーケンスは前記無線アクセスノードによって、異なるＵＥから到来する要求を区別するために使用され、前記ＵＥは、
前記ＵＥからランダムアクセス要求を送信するように動作可能な送信機器（６０５）であって、前記ランダムアクセス要求は、前記２つの無線アクセスノードのうちの第１の無線アクセスノードのためのシグネチャシーケンスを含む送信機器と、
前記２つの無線アクセスノードのうちの第２の無線アクセスノードからランダムアクセス応答を受信するように動作可能な受信機器（６０３）であって、前記ランダムアクセス応答は、前記ＵＥと前記第２の無線アクセスノードとの間のさらなる通信のために使用されるＩＤを含む、受信機器と、を備える、
ユーザ機器。
【請求項１９】
請求項１８に記載のユーザ機器（６０１，６）であって、前記受信機器は、前記第１の無線アクセスノードからランダムアクセス応答を受信するようにさらに動作可能であり、前記ランダムアクセス応答は前記ＵＥと前記第１の無線アクセスノードとの間のさらなる通信のために使用されるべきＩＤを含み、また前記ＵＥは、選択された前記無線アクセスノードへの接続の確立を継続するために前記２つの無線アクセスノードのうちの１つを選択するように動作可能な選択機器をさらに含み、前記選択は前記第１の無線アクセスノードからの前記受信されたランダムアクセス応答に基づき、かつ前記第２の無線アクセスノードからの前記受信されたランダムアクセス応答に基づく、ユーザ機器。
【請求項２０】
少なくとも１つのプロセッサ上で実行されると、少なくとも１つのプロセッサに、請求項１乃至１０のいずれか一項に記載の方法を実行させる命令を含むコンピュータ可読記憶媒体。
【請求項２１】
ユーザ機器（ＵＥ）と無線アクセスネットワークとの間でランダムアクセス手順を実行するように動作可能な第１の無線アクセスノード（２）であって、前記無線アクセスネットワークは、前記第１の無線アクセスノードと第２の無線アクセスノードとを備え、前記２つの無線アクセスノードは異なるセットのシグネチャシーケンスを含み、前記シグネチャシーケンスは前記無線アクセスノードによって、異なるＵＥから到来する要求を区別するために使用され、前記第１の無線アクセスノードは、
前記ＵＥからランダムアクセス要求を受信する受信モジュールであって、前記ランダムアクセス要求はシグネチャシーケンスを含む受信モジュールと、
前記要求に含まれる前記シグネチャシーケンスに基づいて、前記ランダムアクセス要求が前記第１の無線アクセスノードに向けられていることを判定するプロセスモジュールとを備え、
前記受信モジュールは、前記第２の無線アクセスノードから前記ランダムアクセス要求をさらに受信し、それによって、前記第２の無線アクセスノードも前記ＵＥから前記ランダムアクセス要求を受信したことを示し、
前記第１の無線アクセスノードはさらに、
前記ＵＥからの前記受信されたランダムアクセス要求に基づいて、かつ前記第２の無線アクセスノードから受信された前記ランダムアクセス要求に基づいて、応答を送信する送信モジュールをさらに備える、第１の無線アクセスノード。
【請求項２２】
ユーザ機器（ＵＥ）と無線アクセスネットワークとの間でランダムアクセス手順を実行するように動作可能な第２の無線アクセスノード（３）であって、前記無線アクセスネットワークは、第１の無線アクセスノードと前記第２の無線アクセスノードとを備え、前記２つの無線アクセスノードは異なるセットのシグネチャシーケンスを含み、前記シグネチャシーケンスは前記無線アクセスノードによって、異なるＵＥから到来する要求を区別するために使用され、前記第２の無線アクセスノードは、
前記ＵＥからランダムアクセス要求を受信する受信モジュールであって、前記ランダムアクセス要求はシグネチャシーケンスを含む受信モジュールと、
前記要求に含まれる前記シグネチャシーケンスに基づいて、前記ランダムアクセス要求が前記第１の無線アクセスノードに向けられていることを判定するプロセスモジュールと、
前記第１の無線アクセスノードへと前記ランダムアクセス要求を送信する送信モジュールであって、それによって、前記第２の無線アクセスノードも前記ＵＥから前記ランダムアクセス要求を受信したことを示す送信モジュールと、
を備える第２の無線アクセスノード。
【請求項２３】
ユーザ機器（ＵＥ）と無線アクセスネットワークとの間でランダムアクセス手順を実行するように動作可能なユーザ機器（６，６０１）であって、前記無線アクセスネットワークは２つの無線アクセスノードを備え、前記２つの無線アクセスノードは異なるセットのシグネチャシーケンスを有し、前記シグネチャシーケンスは前記無線アクセスノードによって、異なるＵＥから到来する要求を区別するために使用され、前記ＵＥは、
前記ＵＥからランダムアクセス要求を送信する送信モジュールであって、前記ランダムアクセス要求は、前記２つの無線アクセスノードのうちの第１の無線アクセスノードのためのシグネチャシーケンスを含む送信モジュールと、
前記２つの無線アクセスノードのうちの第２の無線アクセスノードからランダムアクセス応答を受信するための受信モジュールであって、前記ランダムアクセス応答は、前記ＵＥと前記第２の無線アクセスノードとの間のさらなる通信のために使用されるＩＤを含む、受信モジュールと、
を備えるユーザ機器。
【国際調査報告】
2019537336.tif 000011
2019537336.tif 000012